(57)【要約】【課題】固定機構による脚の固定が不十分となることを抑制する。【解決手段】浴室用椅子１は、座板４と、座板４を支持する前脚２及び後脚３と、前脚２に対して後脚３を回動させる回動機構（ヒンジピンＰ）と、回動機構（ヒンジピンＰ）による回動を止めることで、前脚２と後脚３とのなす角を狭めた所定位置に後脚３を固定する固定機構（凹部６１、凸部６３及びばね６５）であって、浴室用椅子１の外部に露出しない位置に設けられた固定機構とを備える。【選択図】図６
2018019929.tif 000002
【特許請求の範囲】
【請求項１】
浴室用椅子であって、
座板と、
前記座板を支持する第一脚及び第二脚と、
前記第一脚に対して前記第二脚を回動させる回動機構と、
前記回動機構による回動を止めることで、前記第一脚と前記第二脚とのなす角を狭めた所定位置に前記第二脚を固定する固定機構であって、前記浴室用椅子の外部に露出しない位置に設けられた固定機構とを備える
浴室用椅子。
【請求項２】
前記固定機構は、前記第一脚と前記第二脚とのなす角が所定の角度範囲に含まれる位置である前記所定位置に、前記第二脚を固定する
請求項１に記載の浴室用椅子。
【請求項３】
前記固定機構は、前記回動機構による前記第二脚の可動範囲のうち、前記第一脚と前記第二脚とのなす角が最も小さい位置である前記所定位置に、前記第二脚を固定する
請求項１又は２に記載の浴室用椅子。
【請求項４】
前記第一脚は、前記座板に接続されており、
前記第二脚は、前記座板を介することなく、前記回動機構を介して前記第一脚に接続されている
請求項１〜３のいずれか１項に記載の浴室用椅子。
【請求項５】
前記固定機構は、
前記第一脚及び前記第二脚のいずれか一方に設けられる凹部と、
前記第一脚及び前記第二脚のいずれか他方に設けられる凸部であって、前記凹部と嵌合することで前記第二脚を固定する凸部と、
前記凹部と前記凸部との一方を他方に近づける方向に付勢するばね部とを有する
請求項１〜４のいずれか１項に記載の浴室用椅子。
【請求項６】
前記第一脚は、
前記浴室用椅子の左右一対の前脚のうちの、左及び右の一方のみの前脚であり、
前記第二脚は、
前記浴室用椅子の左右一対の後脚のうちの、左及び右の前記一方のみの後脚である
請求項１〜５のいずれか１項に記載の浴室用椅子。
【発明の詳細な説明】
【技術分野】
【０００１】
本発明は、浴室用椅子に関する。
【背景技術】
【０００２】
一般に、病人、老人及び身体障害者などは、入浴時に椅子に腰掛けて体を洗うのが好都合である。しかし、浴室は、空間的余裕が比較的小さいので、椅子を使わない時には、折り畳む等してコンパクトにすることができるとよい。このような観点から、折り畳み可能な浴室用椅子が提案されている。
【０００３】
特許文献１は、前脚に対して後脚を開閉できるように軸支し、不使用時にコンパクトに折り畳むことのできる折り畳み椅子を開示している。
【特許文献１】特開２０１１−５０６４１号公報
【発明の概要】
【発明が解決しようとする課題】
【０００４】
しかしながら、特許文献１に開示された折り畳み椅子における前脚及び後脚を固定する固定機構（ロック機構）には、椅子の使用状態において水分、石鹸分又は髪の毛のような異物等が付着する。このような使用状態が長期間続くと、固定機構による前脚及び後脚の固定が不十分となるという問題がある。
【０００５】
本発明は、固定機構による脚の固定が不十分となることを抑制する浴室用椅子を提供することを目的とする。
【課題を解決するための手段】
【０００６】
上記目的を達成するために、本発明の一態様に係る浴室用椅子は、座板と、前記座板を支持する第一脚及び第二脚と、前記第一脚に対して前記第二脚を回動させる回動機構と、前記回動機構による回動を止めることで、前記第一脚と前記第二脚とのなす角を狭めた所定位置に前記第二脚を固定する固定機構であって、前記浴室用椅子の外部に露出しない位置に設けられた固定機構とを備える。
【発明の効果】
【０００７】
本発明の浴室用椅子は、固定機構による脚の固定が不十分となることを抑制することができる。
【図面の簡単な説明】
【０００８】
【図１】実施の形態に係る浴室用椅子を示す斜視図である。
【図２】実施の形態に係る浴室用椅子における座部及び背もたれの分解斜視図である。
【図３】実施の形態に係る浴室用椅子を一部省略して示す拡大斜視図である。
【図４】実施の形態に係る浴室用椅子の使用状態を示す側面図である。
【図５】実施の形態に係る浴室用椅子の格納状態を示す側面図である。
【図６】実施の形態に係る浴室用椅子の格納状態における回動機構及び固定機構を示す側面図である。
【図７】実施の形態に係る浴室用椅子の使用状態における回動機構及び固定機構を示す側面図である。
【図８】実施の形態に係る浴室用椅子の回動機構による回動範囲と、固定機構による固定位置とを示す側面図である。
【図９】実施の形態の変形例に係る浴室用椅子の使用状態における第一姿勢を示す斜視図である。
【図１０】実施の形態の変形例に係る浴室用椅子の使用状態における第二姿勢を示す斜視図である。
【図１１】実施の形態の変形例に係る浴室用椅子の格納状態を示す側面図である。
【発明を実施するための形態】
【０００９】
以下、本実施の形態に係る浴室用椅子について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置、及び、接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１０】
（実施の形態）
以下、本発明の浴室用椅子の実施の形態について、図面を参照しながら説明する。なお、下記説明において、各図面中に示すＸＹＺ座標軸を用いた説明を行う場合もある。また、Ｚ軸のプラス方向及びマイナス方向を、それぞれ、上（上方向）及び下（下方向）といい、Ｙ軸のプラス方向及びマイナス方向を、それぞれ、前（前方向）及び後ろ（後方向）といい、Ｘ軸のプラス方向及びマイナス方向を、それぞれ、右（右方向）及び左（左方向）ということもある。
【００１１】
図１〜図５を参照しながら本実施の形態の浴室用椅子１の基本的な構成について説明する。
【００１２】
図１は、本実施の形態に係る浴室用椅子１を示す斜視図である。図２は、本実施の形態に係る浴室用椅子１における座板４及び背もたれ５の分解斜視図である。図３は、本実施の形態に係る浴室用椅子１を一部省略して示す拡大斜視図である。図４は、本実施の形態に係る浴室用椅子１の使用状態を示す側面図である。図５は、本実施の形態に係る浴室用椅子の格納状態を示す側面図である。
【００１３】
浴室用椅子１は、前脚２と、前脚２に回動自在に軸支された後脚３と、前脚２及び後脚３にわたって設けられた座板４と、前脚２の上端部に取り付けられた背もたれ５と、座板４と後脚３（具体的には後述する補強杆３６）とを連結するリンク６とを備える。浴室用椅子１は、ＸＹ平面に平行な床面に載置されることが想定される。
【００１４】
前脚２は、前脚本体２１と、前伸縮脚２２とを備える。
【００１５】
前脚本体２１は、正面より見て略逆Ｕ字状に屈曲されるとともに、側方（つまり、右方向又は左方向）より見て略縦Ｚ字状に屈曲されたフレームである。前脚本体２１は、床面に略平行な水平部を有する。前伸縮脚２２は、前脚本体２１の各端部にそれぞれ摺動自在に嵌挿されたフレームである。前脚本体２１と、前伸縮脚２２とは、剛性部材で形成され、より具体的には、金属製パイプ、例えば、防錆性や軽量性が優れたアルミニウムパイプで形成されている。
【００１６】
前脚本体２１の各端部近傍には、ばね２３（図４及び図５参照）を介して外周面から突出するように位置決めピン２４が設けられている。また、前脚本体２１の対向する各水平部の中間部には、プラスチック製のヒンジブラケット２５がそれぞれ固定されている。また、前脚本体２１の対向する各水平部の前端部間には補強杆２６が溶着され、また、上記各水平部の後端部近傍間には補強杆２６１が溶着されている。補強杆２６及び２６１は、前脚本体２１の構造を補強する機能を有する。前脚本体２１のうち、ヒンジブラケットより端部に近い部分が第一脚に相当する。
【００１７】
前伸縮脚２２は、前脚本体２１に設けられた位置決めピン２４に対応して、所定の間隔をおいて複数個の位置決め穴２２ａを有する。そして、位置決め穴２２ａに位置決めピン２４を嵌合させることにより、前脚本体２１に対する前伸縮脚２２の伸縮量を調節して、前脚本体２１に対して前伸縮脚２２を固定することができる。
【００１８】
前伸縮脚２２の下端部には、使用状態において床面に面接触する形状を有する脚ゴム２７が装着されており、床面である洗い場面を傷つけたり、滑ったりすることを防止する機能を有する。
【００１９】
後脚３は、後脚本体３１と、後伸縮脚３２とを備える。後脚本体３１は、側方から見て略逆Ｌ字状に屈曲されたフレームである。後脚本体３１は、床面に略平行な水平部と、床面に略垂直な垂直部とを有する。後伸縮脚３２は、各後脚本体３１の下端部に摺動自在に嵌挿されたフレームである。後脚本体３１と、後伸縮脚３２とは、前脚２と同様に、剛性部材、より具体的にはアルミニウムパイプで形成されている。後脚３が第二脚に相当する。
【００２０】
各後脚本体３１の下端部近傍には、ばね３３（図４及び図５参照）を介して外周面から突出するように、位置決めピン３４が設けられている。また、後脚本体３１の水平部は、前述した前脚本体２１の水平部の下方に配置され、その先端部、すなわち、前端部には、ヒンジブラケット３５が固定されている。ヒンジブラケット３５は、前脚本体２１に固定されたヒンジブラケット２５を支持するとともに、ヒンジピンＰを介してヒンジブラケット２５に連結されている。ヒンジピンＰを介した連結により、前脚本体２１に対して左右一対の後脚本体３１を互いに連動してヒンジピンＰ回りに回動させることができる。
【００２１】
ヒンジピンＰは、例えば、前脚２の接地部中心（脚ゴム２７の中心）及び後脚３の接地部中心（脚ゴム３７の中心）間を結ぶ線分を底辺とする二等辺三角形の頂点に位置するように設定される。ヒンジピンＰは、回動機構に相当する。
【００２２】
なお、後脚本体３１の水平部と垂直部との対向する交差部近傍間には、補強杆３６が溶着されており、一対の後脚３を同調して作動させることができる。
【００２３】
後伸縮脚３２には、後脚本体３１に設けられた位置決めピン３４に対応して、所定の間隔をおいて複数個の位置決め穴３２ａが形成されており、位置決め穴３２ａに位置決めピン３４を嵌合させることにより、後脚本体３１に対する後伸縮脚３２の伸縮量を調節して、後脚本体３１に対して後伸縮脚３２を固定することができる。また、後伸縮脚３２の下端部には、使用状態において床面に面接触する形状を有する脚ゴム３７が装着されており、床面である洗い場面を傷つけたり、滑ったりすることを防止する機能を有する。
【００２４】
なお、前脚２及び後脚３の材質は、アルミニウム以外に、鉄あるいはステンレスであってもよい。
【００２５】
座板４は、図２に詳細に示すように、座本体４１と、クッション部４２とを備える。座本体４１は、略方形中空状のプラスチック製部材である。クッション部４２は、座本体４１に合致する形状に形成されて座本体４１の上面全体を覆う発泡プラスチック製のクッション部材である。
【００２６】
座本体４１には、複数個の嵌合穴４１ａが形成され、一方、クッション部４２の裏面には、座本体４１の嵌合穴４１ａに嵌合する突出部４２ａが下方に向けて形成されている。座本体４１の嵌合穴４１ａにクッション部４２の突出部４２ａを嵌合及び離脱させることにより、座本体４１にクッション部４２を容易に取り付け及び取り外しを行うことができる。これにより、クッション部４２を座本体４１から取り外して洗浄したり、交換したりすることが容易になる。また、使用者が座板４に座ったときに、使用者の臀部の大部分がクッション部４２に接触し、つまり、使用者の臀部が前脚２等の剛性部材に接触することが抑制されるので、使用者にとって座り心地がよいという利点がある。前脚２等の剛性部材が金属部材である場合には、使用者が冷たさを感じることが抑制される利点もある。
【００２７】
なお、座本体４１及びクッション部４２には、両者を貫通する複数個の水抜き穴２ａ（図１参照）が形成されている。
【００２８】
また、座本体４１は、その略中間部の後端寄りが、前述した前脚本体２１の対向する水平部の後端部近傍間に溶着された補強杆２６１に回動自在に連結されており、また、その後端部がリンク６の一端部と回動自在に連結され、リンク６の他端部が、前述した後脚本体３１の水平部と略垂直部との対向する交差部近傍間に溶着された補強杆３６に回動自在に連結されている。
【００２９】
したがって、図４において、座板４の前端部を把持して持ち上げると、座板４は、前脚２との軸支部（補強杆２６１）回りに時計回り方向に回動し、略垂直状態に格納することができる。このとき、座板４の後端部がリンク６の一端部により軸支され、また、リンク６の他端部が後脚３の後脚本体３１（補強杆３６）により軸支されていることから、座板４がリンク６を介して後脚３を押し下げ、後脚３をヒンジピンＰ回りに時計回り方向に回動させる。このため、前脚本体２１に対して後脚３を接近させ、前脚２及び後脚３を閉脚することができる（図５参照）。
【００３０】
一方、図５において、座板４の前端部を把持して押し下げると、座板４は、前脚２との軸支部（補強杆２６１）回りに反時計回り方向に回動し、前脚２の補強杆２６に略水平状態に支持される。このとき、座板４がリンク６を介して後脚３を引き上げ、後脚３をヒンジピンＰ回りに反時計回り方向に回動させ、前脚本体２１に対して後脚３を離隔させ、前脚２及び後脚３を開脚することができる（図４参照）。
【００３１】
背もたれ５は、図２に示すように、背もたれ本体５１と、クッション部５２とを備える。背もたれ本体５１は、略方形中空状のプラスチック製部材である。クッション部５２は、背もたれ本体５１に合致する形状に形成されて背もたれ本体５１の前面全体を覆う発泡プラスチック製部材である。
【００３２】
背もたれ本体５１には、複数個の嵌合穴５１ａが形成され、一方、クッション部５２の裏面には、背もたれ本体５１の嵌合穴５１ａに嵌合可能な突出部５２ａが後方に向けて形成されている。背もたれ本体５１の嵌合穴５１ａにクッション部５２の突出部５２ａを嵌合及び離脱させることにより、背もたれ本体５１にクッション部５２を容易に取り付け及び取り外しを行うことができる。これにより、クッション部５２を背もたれ本体５１から簡単に取り外して洗浄したり、交換したりすることができる。この場合、クッション部５２の突出部５２ａは、背もたれ本体５１の嵌合穴５１ａから容易に脱落しないように、一定の摩擦力で嵌合されるものである。また、使用者が座板４に座ったときに、使用者の背中の大部分がクッション部５２に接触し、つまり、使用者の背中が前脚２等の剛性部材に接触することが抑制されるので、使用者にとって座り心地がよいという利点がある。前脚２等の剛性部材が金属部材である場合には、使用者が冷たさを感じることが抑制される利点もある。
【００３３】
なお、背もたれ本体５１及びクッション部５２には、両者を貫通する把持穴５ａ（図１参照）が形成されている。使用者は、把持穴５ａに指を挿入して、浴室用椅子１を持ち運びすることができる。
【００３４】
また、背もたれ５の背もたれ本体５１は、前脚本体２１の水平な上端部及び前脚本体２１の水平な上端部に固定された取付金具７とビス止めされている。
【００３５】
次に、このように構成された浴室用椅子１の作動について説明する。
【００３６】
浴室用椅子１が図１及び図４に示す使用状態にあるとき、座板４は、前脚２の補強杆２６１に回動自在に連結されるとともに、前脚２の補強杆２６に略水平状態で支持されている。また、前脚２に対して後脚３が離隔するように開脚され、それらの脚ゴム２７、３７は、床面に接地されている。
【００３７】
この状態で使用者は、座板４に座り、体を洗う等することができる。この際、使用者の臀部及び背中には、座本体４１及び背もたれ本体５１を覆って設けられたクッション部４２及び５２が接触するので、冬場の冷たさを緩和することができるとともに、座り心地が良い。また、使用者がバスタブに入るときには、座板４の側方に肘置き等の障害物が存在しないため、使用者の身体を左右方向にスライドさせるだけでよい。言い換えれば、使用者がバスタブに入るときに、使用者が前後方向又は上下方向に身体を移動させる必要がない。具体的には、座板４の上面を、図示しないバスタブの框上面と同じ高さで連続するように配置することにより、使用者の臀部を座板４からバスタブの框に簡単に移乗させることができ、介護者による作業の負担を軽減することができる。
【００３８】
さらに、浴室用椅子１の使用が終了すれば、使用者は、図１及び図４において、座板４の前端部を把持して持ち上げれば、座板４は、前脚２との軸支部（補強杆２６１）回りに時計回り方向に回動する。このとき、座板４の後端部がリンク６の一端部と軸支され、リンク６の他端部が後脚３の後脚本体３１（補強杆３６）と軸支されていることから、座板４がリンク６を介して後脚３を押し下げ、後脚３をヒンジピンＰ回りに時計回り方向に回動させ、前脚本体２１に対して後脚３を接近させ、前脚２及び後脚３を閉脚することができる。しかも、閉脚された前脚２及び後脚３は同一高さ位置で床面に接地するとともに、略垂直状態の座板４も閉脚された前脚２及び後脚３間に配置されるため、格納状態に前脚２及び後脚３を閉脚した場合であっても、浴室用椅子１は自立する。この結果、浴室用椅子１を自立しつつ小さなスペースで保管することができる（図５参照）。
【００３９】
図５に示される格納状態では、側面視において、リンク６の一端部と座板４との軸支部が、リンク６の他端部と後脚３との軸支部（補強杆３６）及び前脚２と座板４との軸支部（補強杆２６１）を結ぶ線分を越えて前脚２と後脚３との軸支部（ヒンジピンＰ）側にある。このように、前脚２と座板４との軸支部（補強杆２６１）、リンク６の一端部と座板４との軸支部、及び、リンク６の他端部と後脚３との軸支部（補強杆３６）は、二つのリンクをＬ字状に連結して形成されるトグル機構の連結点となる。このため、座板４の自重によっては、前脚２と後脚３との軸支部（ヒンジピンＰ）側に位置しているリンク６の一端部と座板４との軸支部が、リンク６の他端部と後脚３との軸支部（補強杆３６）及び前脚２と座板４との軸支部（補強杆２６１）を結ぶ線分を越えることはなく、座板４は、略垂直状態に保持される。
【００４０】
一方、浴室用椅子１を使用する場合は、格納状態において、座板４の前端部を把持して押し下げると、座板４は、前脚２との軸支部（補強杆２６１）回りに反時計回り方向に回動する。すなわち、各軸支部の遊びにより、前脚２と後脚３との軸支部（ヒンジピンＰ）側に位置しているリンク６の一端部と座板４の後端部との軸支部を、リンク６の他端部と後脚３との軸支部（補強杆３６）及び前脚２と座板４との軸支部（補強杆２６１）を結ぶ線分を越えて位置させることができる。したがって、座板４がリンク６を介して後脚３を引き上げ、後脚３をヒンジピンＰ回りに反時計回り方向に回動させ、前脚本体２１に対して後脚３を離隔させ、前脚２及び後脚３を開脚することができる（図４参照）。
【００４１】
以上の構成により浴室用椅子１は、使用状態において前脚２及び後脚３により滑ることなく自立するとともに、格納状態を維持しながら自立することができる。
【００４２】
しかしながら、格納状態にある浴室用椅子１に物が当たったり、振動が加わったりすることがある。また、洗い場面が傾斜を有する場合、格納状態にある浴室用椅子１の前脚２側が傾斜の下側に配置されると、座板４に働く重力が座板４を下方向に押す力（図５において座板４を反時計回りに回動させる力）として働く。このような場合に、物又は振動により及ぼされる力、若しくは、重力によって、トグル機構による座板４の保持が外れ、浴室用椅子１が格納状態を維持できなくなるという問題が生じ得る。
【００４３】
そこで、この問題を解消すべく、浴室用椅子１のヒンジピンＰ（回動機構）は、固定機構を有する。この固定機構について以降で詳細に説明する。
【００４４】
図６は、本実施の形態に係る浴室用椅子１の格納状態における回動機構及び固定機構を示す側面図である。図７は、本実施の形態に係る浴室用椅子１の使用状態における回動機構及び固定機構を示す側面図である。
【００４５】
図６及び図７に示されるように、浴室用椅子１のヒンジブラケット２５は、凹部６１を有する。凹部６１は、後述する凸部６３に嵌合するくぼみ形状を有し、浴室用椅子１の外部に露出しない位置に設けられている。また、凹部６１は、前脚２及び後脚３を閉脚した状態において、凸部６３が嵌合する位置及び方向で設けられている。
【００４６】
浴室用椅子１のヒンジブラケット３５は、凸部６３と、ばね６５とを有する。凸部６３は、凹部６１に嵌合する形状を有している。ばね６５は、凸部６３に接続されており、凸部６３をヒンジピンＰに近づける方向（つまり、凹部６１に近づける方向）に付勢する付勢力を凸部６３に及ぼす。凸部６３とばね６５とは、浴室用椅子１の外部に露出しない位置に設けられ、ヒンジブラケット３５に固定されており、後脚本体３１がヒンジピンＰ周りに回動するときに後脚本体３１とともに回動する。なお、ばね６５は、ばね部の一例であり、ばね６５の代わりにゴム等の弾性体を採用することもできる。
【００４７】
凸部６３は、前脚２及び後脚３を閉脚した状態において凹部６１に嵌合することで、前脚２及び後脚３の位置を固定することで、ヒンジピンＰ回りの回動を止める（図６参照）。また、凸部６３は、凹部６１に嵌合しない位置にあるときには、凸部６３の先端がヒンジブラケット２５の外周面に接触した状態で当該外周面に沿って移動可能な状態であり、前脚２及び後脚３の位置を回動方向に固定する力を及ぼすことはない（図７参照）。
【００４８】
なお、凹部６１と、凸部６３と、ばね６５とが、前脚２に対する後脚３の回動を止めることで、前脚２と後脚３とのなす角を狭めた所定位置に後脚３を固定する固定機構に相当する。ここで、上記「前脚２と後脚３とのなす角」とは、図６における角φを指す。また、固定機構は、前脚２に対する後脚３の回動を止めることで、後脚３を前脚２に近づけた所定位置に後脚３を固定するということもできる。仮に固定機構が浴室用椅子１の外部に露出する位置に設けられているとすれば、固定機構である凹部６１、凸部６３及びばね６５それぞれに水分、石鹸分その他の異物が付着し、凹部６１及び凸部６３の嵌合が不十分になったり、ばね６５がおよぼす付勢力が弱められたりすることがある。本実施の形態の浴室用椅子１の固定機構が、浴室用椅子１の外部に露出しない位置に設けられていることにより、水分等が付着することが防止され、固定機構による前脚２及び後脚３の固定が不十分となるという問題を未然に回避することがある。
【００４９】
なお、凹部６１及び凸部６３により前脚２及び後脚３の位置が固定されている状態（図６）において、後脚本体３１に反時計回りの所定以上の力が加えられると、凸部６３が凹部６１から離脱することで、前脚２及び後脚３の位置の固定が解除される。なお、凹部６１は、開口部から侵入するに従って徐々に幅が狭くなるテーパ形状を有していてもよい。凹部６１がこのようなテーパ形状を有していると、上記所定以上の力が加えられたときの凸部６３の凹部６１からの離脱がスムーズに行われる利点がある。一方、上記テーパ形状における幅の変化が大きすぎると前脚２及び後脚３の位置を固定する力が弱まる要因にもなる。よって、テーパ形状は、ばね６５が及ぼす付勢力、想定される床面の傾斜などに応じて適切に設定されるべきものである。
【００５０】
次に、ヒンジピンＰによる後脚本体３１の可動範囲と、固定機構による後脚本体３１の固定位置について説明する。
【００５１】
図６において、ヒンジピンＰによる後脚本体３１の可動範囲（より具体的には、後脚本体３１の中心軸の回動範囲）を可動範囲Ｒとして示している。浴室用椅子１の格納状態では、後脚本体３１の中心軸は、中心軸Ｊ０の位置にある（図７参照）。また、浴室用椅子１の使用状態では、後脚本体３１の中心軸は、中心軸Ｊ０をヒンジピンＰを中心として時計回りに角度θ１だけ回転させた中心軸Ｊ１の位置にある（図６参照）。凹部６１は、中心軸Ｊ１上に配置されており、凸部６３がヒンジピンＰを中心として回動して中心軸Ｊ１上に位置したときに、ばね６５が凸部６３に及ぼす付勢力により、凸部６３が凹部６１に嵌合する。
【００５２】
すなわち、固定機構は、後脚本体３１の可動範囲Ｒのうち、前脚２と後脚３とのなす角φが最も小さい位置に、後脚３を固定する。これにより、固定機構は、後脚本体３１が前脚２に最も近くなる格納状態で、後脚３及び前脚２を固定することができる。
【００５３】
なお、固定機構は、上記に限られず、前脚２と後脚３とのなす角φが所定の角度範囲に含まれる位置に、後脚３を固定するものであってもよい。
【００５４】
図８は、本実施の形態に係る浴室用椅子１のヒンジピンＰ（回動機構）による回動範囲と、固定機構による固定位置とを示す側面図である。この固定位置は、前脚２から所定の角度範囲Ｓ内の固定位置の一例である。図８では、説明の都合上、後脚本体３１の外形の図示を省略し、後脚本体３１の中心軸の位置のみを図示している。
【００５５】
図８において、凹部６１Ａは、凹部６１と同じ機能を有するが、凹部６１とは異なる位置に配置されている。具体的には、凹部６１Ａは、ヒンジピンＰを中心として、中心軸Ｊ０から時計回りに角度θ２だけ回動した中心軸Ｊ２上に配置されている。この凹部６１Ａを含む固定機構により、後脚本体３１は、中心軸Ｊ２の位置に固定される。
【００５６】
なお、所定の角度範囲Ｓは、特に限定されないが、例えば、０度以上１０度以下の範囲、又は、０度以上３０度以下の範囲というように定められてもよいし、可動範囲Ｒの角度範囲の１／５又は１／１０というように、可動範囲Ｒに対する割合として定められてもよい。所定の角度範囲は、格納状態における浴室用椅子１の前後方向の幅に影響する。上記角度範囲を小さく設定すれば、格納状態における前後方向の幅を小さくすることができる利点があり、上記角度範囲を大きく設定すれば、格納状態における浴室用椅子１の自立の安定性を高めることができる利点がある。よって、上記角度範囲は、これらの利点を考慮して適切に設定されるべきものである。
【００５７】
なお、上記において、ヒンジブラケット２５が凹部６１（又は凹部６１Ａ）を有し、ヒンジブラケット３５が凸部６３を有する構成を説明したが、これらの関係は反対であってもよい。つまり、ヒンジブラケット２５が凹部６１（又は凹部６１Ａ）を有し、ヒンジブラケット２５が凸部６３を有する構成であってもよい。また、ばね６５が凸部６３に接続される構成を説明したが、ばね６５は、凹部６１等に接続されていてもよいし、２つのばね６５が、凹部６１及び凸部６３のそれぞれに接続される構成であってもよい。
【００５８】
なお、固定機構（つまり、凹部６１と凸部６３とばね６５）は、左右一対の前脚２及び後脚３の、左又は右の一方のみに備えられていてもよい。つまり、固定機構により回動が固定される前脚２は、浴室用椅子１の左右一対の前脚２のうちの、左及び右の一方のみの前脚２であり、固定機構により回動が固定される後脚３は、浴室用椅子１の左右一対の後脚３のうちの、左及び右の上記一方のみの後脚３であってもよい。このようにすると、左右の両方に固定機構を備えるより低コストに製造することができる利点がある。
【００５９】
また、凹部６１（又は凹部６１Ａ）と凸部６３とは、互いに嵌合するときに、凹部６１の凹み方向と、凸部６３の突出方向とが略一致していることが必要であり、それらの方向がどの方向であるかは限定されない。つまり、凹部６１の凹み方向と、凸部６３の突出方向とは、Ｙ軸方向（左右方向）であってもよい。
【００６０】
（実施の形態の変形例）
本変形例において、上記実施の形態における浴室用椅子とは異なる形態の浴室用椅子における固定機構について説明する。本変形の浴室用椅子は、前脚及び後脚に対して座部が回動可能に構成されていることに特徴を有する。なお、実施の形態と同じ構成要素については、同一の符号を付し詳細な説明を省略する。
【００６１】
図９は、本変形例に係る浴室用椅子１Ａの使用状態における第一姿勢を示す斜視図である。図１０は、本変形例に係る浴室用椅子１Ａの使用状態における第二姿勢を示す斜視図である。
【００６２】
図９及び図１０に示されるように、浴室用椅子１Ａは、前脚２ｂと、支柱部２ｄと、前脚２ｂに回動自在に軸支された後脚３と、前脚２ｂ及び後脚３の上方に設けられた座板４と、前脚２ｂの上端部に取り付けられた背もたれ５と、回転機構部１６と、回転制限装置４０とを備える。
【００６３】
浴室用椅子１Ａの構成要素のうち、前脚２ｂと、支柱部２ｄとが、実施の形態における前脚本体２１に相当する。前脚２ｂ及び後脚３に対して座部を回動可能とするため、前脚２ｂと、支柱部２ｄとが切り離されたものである。前脚２ｂは、座板４に接続されており、後脚３は、座板４を介することなく、回動機構を介して前脚２ｂに接続されている。
【００６４】
前脚２ｂは、前脚本体２ｃと、前伸縮脚２２とを備える。前脚本体２ｃは、実施の形態の前脚本体２１と同様、正面より見て略逆Ｕ字状に屈曲されるとともに、側方より見て略縦Ｌ字状に屈曲されたフレームである。
【００６５】
回転機構部１６は、座板４の法線方向（Ｚ軸方向）に沿った回転軸Ａ１の回りに回転自在に、座板４を前脚２ｂに連結する。なお、回転機構部１６による回動の仕方、回動の制限の仕方などについては、従来技術を採用し得るので、詳細な説明を省略する。
【００６６】
浴室用椅子１Ａは、実施の形態の浴室用椅子１と同様に、格納状態を取ることができる。
【００６７】
図１１は、本変形例に係る浴室用椅子１Ａの格納状態を示す側面図である。浴室用椅子１Ａは、図９に示される使用状態から、前脚２ｂに対してヒンジピンＰ回りに後脚３を接近させることで、前脚２ｂ及び後脚３を閉脚することができる。
【００６８】
浴室用椅子１Ａは、前脚２ｂと後脚３との接続部分において、浴室用椅子１と同じ回動機構及び固定機構を備える。よって、浴室用椅子１Ａは、浴室用椅子１と同様、図６〜図８に示される固定機構により前脚２ｂに対する後脚３の位置を固定することで、使用状態（図９及び図１０）をとったり、格納状態（図１１）をとったりすることができる。
【００６９】
上記のとおり、浴室用椅子１Ａは、前脚２ｂ及び後脚３に対して座部を回動可能とするため、前脚２ｂと、支柱部２ｄとが切り離されたものである。仮に、前脚２ｂ及び後脚３に対して座部が回動しない構成である場合には、前脚２ｂに対して後脚３を固定する代わりに、座板４に対して後脚３を固定する固定機構を採用することも可能である。しかし、前脚２ｂ及び後脚３に対して座板４が回動する場合には、この回動により座板４と後脚３との相互の相対位置が変化するので、座板４に対して後脚３を固定する固定機構を採用することは難しい。
【００７０】
そこで、浴室用椅子１Ａは、前脚２ｂに対する後脚３の回動を止めることで前脚２ｂ及び後脚３を固定する固定機構を採用している。これにより、座板４と後脚３との相互の相対位置が変化する浴室用椅子１Ａであっても、前脚２ｂ及び後脚３を固定し、格納状態をとることができる。
【００７１】
以上のように本実施の形態における浴室用椅子１等は、座板４と、座板４を支持する前脚２及び後脚３と、前脚２に対して後脚３を回動させるヒンジピンＰと、ヒンジピンＰによる回動を止めることで、前脚２と後脚３とのなす角を狭めた所定位置に後脚３を固定する固定機構（凹部６１、凸部６３及びばね６５）であって、浴室用椅子１等の外部に露出しない位置に設けられた固定機構とを備える。
【００７２】
これによれば、浴室用椅子１等の前脚２及び後脚３を固定する固定機構が、浴室用椅子１等の外部に露出しない位置に設けられていることで、固定機構に水分、石鹸分、その他、髪の毛のような異物等が付着することが防止される。仮に上記固定機構が浴室用椅子１等の外部に露出する位置に設けられていると、固定機構に水分、又は石鹸分、その他、髪の毛のような異物等が付着して固定機構による前脚及び後脚の固定が不十分となる問題が生じ得る。本実施の形態の浴室用椅子１により、固定機構による前脚及び後脚の固定が不十分となる問題が解消される。このように、浴室用椅子１等は、固定機構による脚の固定が不十分となることを抑制することができる。
【００７３】
例えば、固定機構は、前脚２と後脚３とのなす角が所定の角度範囲に含まれる位置である上記所定位置に、後脚３を固定する。
【００７４】
これによれば、浴室用椅子１等は、使用状態よりも前脚２及び後脚３が閉じたコンパクトな格納状態をとることができる。これにより浴室の空間的余裕を増す利点もある。
【００７５】
例えば、固定機構は、回動機構による後脚３の可動範囲のうち、前脚２と後脚３とのなす角が最も小さい位置である上記所定位置に、後脚３を固定する。
【００７６】
これによれば、浴室用椅子１等は、前脚２に後脚３を最も近づけた、最もコンパクトな格納状態をとることができる。これにより浴室の空間的余裕をさらに増す利点もある。
【００７７】
例えば、前脚２は、座板４に接続されており、後脚３は、座板４を介することなく、回動機構を介して前脚２に接続されている。
【００７８】
これによれば、浴室用椅子１Ａは、座板４と後脚３との相互の相対位置が変化する浴室用椅子１Ａであっても、前脚２及び後脚３を固定し、格納状態をとることができる。
【００７９】
例えば、固定機構は、前脚２及び後脚３のいずれか一方に設けられる凹部６１と、前脚２及び後脚３のいずれか他方に設けられる凸部６３であって、凹部６１と嵌合することで後脚３を固定する凸部６３と、凹部６１と凸部６３との一方を他方に近づける方向に付勢するばね６５とを有する。
【００８０】
これによれば、浴室用椅子１等は、凹部、凸部及びばね部という比較的簡易な構成により、固定機構による脚の固定が不十分となることを抑制することができる。
【００８１】
例えば、前脚２は、浴室用椅子１等の左右一対の前脚２のうちの、左及び右の一方のみの前脚２であり、後脚３は、浴室用椅子１等の左右一対の後脚３のうちの、左及び右の前記一方のみの後脚３である。
【００８２】
これによれば、浴室用椅子１等は、左右の両方に固定機構を備えるより低コストに製造され得る利点がある。
【００８３】
（その他）
以上、本発明に係る浴室用椅子について、上記実施の形態に基づいて説明したが、本発明は、上記の実施の形態に限定されるものではない。
【００８４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８５】
１、１Ａ    浴室用椅子
２、２ｂ    前脚
３    後脚
４    座板
２３、３３、６５    ばね
６３    凸部
６１、６１Ａ    凹部
Ｐ    ヒンジピン
Ｒ    可動範囲
Ｓ    角度範囲
【図１】
2018019929.tif 000003
【図２】
2018019929.tif 000004
【図３】
2018019929.tif 000005
【図４】
2018019929.tif 000006
【図５】
2018019929.tif 000007
【図６】
2018019929.tif 000008
【図７】
2018019929.tif 000009
【図８】
2018019929.tif 000010
【図９】
2018019929.tif 000011
【図１０】
2018019929.tif 000012
【図１１】
2018019929.tif 000013